(57)【特許請求の範囲】
【請求項１】
ＬＥＤランプ用端子（24a〜24d）およびケーブル用端子（25a〜25d）を介して接続されたケーブル（10）から複数のＬＥＤランプ(7−1〜7−Ｎ)に制御部（2）により制御された電圧を出力して前記複数のＬＥＤランプ(7−1〜7−Ｎ)の発光を制御する照明装置であって、
前記複数のＬＥＤランプ(7−1〜7−Ｎ)の各ＬＥＤランプは、前記ＬＥＤランプ用端子（24a〜24d）を有した基板（21）と、基板（21）上に形成された配線パターン（21a〜21g）と、前記基板（21）上に配置されて上面に形成された凹部に赤色ＬＥＤ素子（D1）、緑色ＬＥＤ素子（D2）、および青色ＬＥＤ素子（D3）を収容したプラスチックパッケージ（31）とを有し、
前記ケーブル（10）は、前記複数のＬＥＤランプ(7−1〜7−Ｎ)の各ＬＥＤランプの前記赤色ＬＥＤ素子(D1)のアノードに接続する第１の電圧出力ライン(6)と、前記複数のＬＥＤランプ(7−1〜7−Ｎ)の各ＬＥＤランプの前記緑色ＬＥＤ素子(D2)のアノードに接続する第２の電圧出力ライン(5)と、前記複数のＬＥＤランプ(7−1〜7−Ｎ)の各ＬＥＤランプの前記青色ＬＥＤ素子(D3)のアノードに接続する第３の電圧出力ライン(4)と、前記複数のＬＥＤランプ(7−1〜7−Ｎ)の各ＬＥＤランプの前記赤色ＬＥＤ素子(D1)、前記緑色ＬＥＤ素子(D2)および前記青色ＬＥＤ素子(D3)のカソードに接続するグランドライン(3)とからなり、かつ、前記電圧出力ライン（4〜6）および前記グランドライン（3）は前記ケーブル用端子（25a〜25d）を有し、
前記赤色，緑色および青色のＬＥＤ素子(D1〜D3)は、前記プラスチックパッケージ（31）の前記凹部の内部において緑色のＬＥＤ素子(D2)を中央にして一直線に配置され、
前記プラスチックパッケージ(31)は、その両側に分散配置され、前記赤色，緑色および青色のＬＥＤ素子(D1〜D3)の各電極と電気的に接続された電極(37)を介して前記基板(21)の前記配線パターン(21a〜21g)と電気的に接続されることによって前記基板(21)上に配置されていることを特徴とする照明装置。
【発明の詳細な説明】
【０００１】
【発明の属する技術分野】
本発明は照明装置に関し、特に、Ｒ，Ｇ，Ｂの内の少なくとも２色のＬＥＤ（発光ダイオード）素子により構成されたＬＥＤランプの複数個を用いて各種のディスプレィを数種類の発光色により点灯するための照明装置に関する。
【０００２】
【従来の技術】
例えば、クリスマスツリーは、従来、所定長に直列接続した豆電球（フィラメントによる白熱ランプ）をツリーに巻き付け、一定時間間隔で点滅駆動することによりディスプレィを行っている。ディスプレィ効果を高めるため、豆電球は、ガラス球を赤、青、黄等で着色し、或いは、カラーフィルタを被せてカラー発光が得られるようにしている。豆電球による照明装置（ディスプレィ装置）は、ＡＣ１００ＶからＡＣ又はＤＣの低圧（１２Ｖ程度）に変換するためのトランスのほか、所要数の豆電球及びリード線だけで構成できることから、低価格にできる利点がある。
【０００３】
【発明が解決しようとする課題】
しかし、従来の照明装置によると、豆電球は衝撃等により壊れやすく、また、点灯可能時間（寿命）が比較的短く、商店などのディスプレィ等のように、長時間使用した場合には球切れ（フィラメントの断線）や光度低下が生じる。さらに、豆電球はガラス球への着色やカラーフィルタの装着によりカラー化を行っているため、発売時の発光色に限定され、購入後にユーザーが所望の発光色にすることはできない。また、カラーフィルタの場合、交換によって発光色の変更はできるが、複数のカラーフィルタを予め発売時に添付しなければならず、照明装置のコストアップは避けられないし、ユーザーによるフィルタの交換も手軽とはいえない。
【０００４】
したがって、本発明の目的は、ユーザーが所望する任意の発光色を簡単に得られると共に、長寿命と安全性が得られる照明装置を提供することにある。
【０００７】
【課題を解決するための手段】
本発明は、上記の目的を達成するため、ＬＥＤランプ用端子（24a〜24d）およびケーブル用端子（25a〜25d）を介して接続されたケーブル（10）から複数のＬＥＤランプ(7−1〜7−Ｎ)に制御部（2）により制御された電圧を出力して前記複数のＬＥＤランプ(7−1〜7−Ｎ)の発光を制御する照明装置であって、
前記複数のＬＥＤランプ(7−1〜7−Ｎ)の各ＬＥＤランプは、前記ＬＥＤランプ用端子（24a〜24d）を有した基板（21）と、基板（21）上に形成された配線パターン（21a〜21g）と、前記基板（21）上に配置されて上面に形成された凹部に赤色ＬＥＤ素子（D1）、緑色ＬＥＤ素子（D2）、および青色ＬＥＤ素子（D3）を収容したプラスチックパッケージ（31）とを有し、
前記ケーブル（10）は、前記複数のＬＥＤランプ(7−1〜7−Ｎ)の各ＬＥＤランプの前記赤色ＬＥＤ素子(D1)のアノードに接続する第１の電圧出力ライン(6)と、前記複数のＬＥＤランプ(7−1〜7−Ｎ)の各ＬＥＤランプの前記緑色ＬＥＤ素子(D2)のアノードに接続する第２の電圧出力ライン(5)と、前記複数のＬＥＤランプ(7−1〜7−Ｎ)の各ＬＥＤランプの前記青色ＬＥＤ素子(D3)のアノードに接続する第３の電圧出力ライン(4)と、前記複数のＬＥＤランプ(7−1〜7−Ｎ)の各ＬＥＤランプの前記赤色ＬＥＤ素子(D1)、前記緑色ＬＥＤ素子(D2)および前記青色ＬＥＤ素子(D3)のカソードに接続するグランドライン(3)とからなり、かつ、前記電圧出力ライン（4〜6）および前記グランドライン（3）は前記ケーブル用端子（25a〜25d）を有し、
前記赤色，緑色および青色のＬＥＤ素子(D1〜D3)は、前記プラスチックパッケージ（31）の前記凹部の内部において緑色のＬＥＤ素子(D2)を中央にして一直線に配置され、
前記プラスチックパッケージ(31)は、その両側に分散配置され、前記赤色，緑色および青色のＬＥＤ素子(D1〜D3)の各電極と電気的に接続された電極(37)を介して前記基板(21)の前記配線パターン(21a〜21g)と電気的に接続されることによって前記基板(21)上に配置されていることを特徴とする照明装置を提供する。
【０００８】
この構成によれば、ＬＥＤランプの少なくとも２つのＬＥＤ素子がケーブルの複数のラインに接続されることにより、ＬＥＤランプのそれぞれが従来の豆電球に代わるものとして機能し、ＬＥＤランプは制御部により所望の発光色、及び多様な点灯制御を実現できるため、使用目的に応じた多様な発光が可能になる。また、光源がＬＥＤランプであるため、消費電力は大幅に低減され、さらに長寿命化が可能になる。
【０００９】
【発明の実施の形態】
以下、本発明の実施の形態を図面に基づいて説明する。
図１は、本発明の第１の実施の形態に係る照明装置の構成を示す。電源部１はＡＣ１００Ｖ（又はＡＣ２００Ｖ）の商用電源からＤＣにした５〜１０Ｖの低電圧を得るものであり、この電源部１には制御部２が接続される。制御部２の出力側には、グランドライン３と電圧出力ライン４，５，６が接続されており、電圧出力ライン４〜６とグランドライン３の間にオン／オフ的な電圧、又は発光色に応じて異ならせた電圧レベルを出力する。制御部２は、電圧出力ライン４〜６に出力電圧を印加するか否を決定する３つのスイッチと電圧可変手段（例えば、定電圧回路）を備え、或いは、演算部としての１チップマイクロコンピュータ（又はＣＰＵ）と周辺回路を備えて構成され、外部からの制御信号を受け付けるための制御入力端子１１を備えている。
【００１０】
電圧出力ライン４〜６とグランドライン３の４本は、ビニールチューブを被せるなどして１本の束線１０（又はケーブル）に加工されており、１本の長さは、例えば１〜２メートルに設定されている。さらに、束線１０は、図２に示すように、例えば１０ｃｍ間隔にメス型の端子（２５ａ〜２５ｄ）が装着されており、この端子の１個毎にＬＥＤランプ７-1〜７-7が挿入接続されている。また、束線１０の終端には４端子のコネクタ８が接続されている。このコネクタ８には、同様構成で始端にコネクタ９が設けられている他の束線を直列に連結することができる。連結する束線の本数は、電源部１の電流容量に支障をきたさない限り、任意にすることができる。
【００１１】
図２は、ＬＥＤランプの詳細構成を示す。ＬＥＤランプ７-1〜７-Nは、全て同一構成であるので、ここではＬＥＤランプ７-1についてのみ説明する。ＬＥＤランプ７-1は、プリント基板２１と、このプリント基板２１上に搭載されるＬＥＤモジュール２２（詳細は図３で説明）と、同じくプリント基板２１上に搭載されるチップ抵抗２３ａ（Ｒ１），２３ｂ（Ｒ２），２３ｃ（Ｒ３）、ピン状の端子２４ａ，２４ｂ，２４ｃ，２４ｄを備えて構成され、全体又は少なくとも上面が樹脂モールド２６により被覆され、雨水、指等がプリント基板２１上の部品や配線パターンに接触するのを防止している。チップ抵抗２３ａ〜２３ｃは電流制限用であり、端子２４ａ〜２４ｄはグランドライン３および電圧出力ライン４〜６に所定間隔に設けられた端子２５ａ，２５ｂ，２５ｃ，２５ｄとの接続用である。なお、電流制限素子としてのチップ抵抗２３ａ，２３ｂ，２３ｃに代えて定電流ダイオード等を用いることもできる。この定電流ダイオードを用いることにより、束線の長さが長くなっても電流を安定してＬＥＤランプに供給することができるので、電源側と末端側とでＬＥＤランプの明るさのばらつきを少なくすることができる。
【００１２】
プリント基板２１上には、配線パターン２１ａ，２１ｂ，２１ｃ，２１ｄ，２１ｅ，２１ｆ、２１ｇが形成されている。配線パターン２１ｂ〜２１ｄはチップ抵抗２３ａ〜２３ｃとＬＥＤランプ７-1の３つのＬＥＤのアノードとを接続し、配線パターン２１ｅ〜２１ｇはチップ抵抗２３ａ〜２３ｃと端子２４ｂ〜２４ｄを接続している。配線パターン２１ａは、ＬＥＤランプ７-1の３つのＬＥＤの各カソードと端子２４ａを接続している。端子２４ａ〜２４ｄは配線パターン２１ａ，２１ｅ〜２１ｇにハンダ接続されることにより、電気的に接続されると共にプリント基板２１に固定される。勿論、ハトメ、カシメ等の手段により固定することもできる。
【００１３】
図３はＬＥＤモジュール２２の詳細を示す。ＬＥＤモジュール２２は、プラスチックパッケージ３１（上面の凹部内に形成されたリフレクタ３２が形成されている）と、Ｒ（赤）ＬＥＤ素子３３（Ｄ１）と、緑（Ｇ）ＬＥＤ素子３４（Ｄ１）と、青（Ｂ）ＬＥＤ素子３５（Ｄ３）と、各ＬＥＤ素子のアノード又はカソードに一端が接続されるボンディングワイヤ３６ａ，３６ｂ，３６ｃと、これらボンディングワイヤ３６ａ，３６ｂ，３６ｃの他端に電気的に接続される６個の電極３７を備えて構成されている。電極３７は、プラスチックパッケージ３１の両側に分散配置されると共に、接続先の配線パターンとのハンダ接続を用意にするため、底面から側面に跨がるようにＬ字形に設けられている。リフレクタ３２は、プラスチックパッケージ３１の上面に角錐形、円錐形等の凹部を設け、この凹部の表面に銀蒸着、銀メッキ、白色塗装等を施して作られている。ここでは、リフレクタ３２の上面は開口状態のままにしているが、さらにレンズ（無色透明）を設けて集光性を高めてもよいし、保護板（無色透明）を設けてＬＥＤ素子の保護を図ってもよい。
【００１４】
ＬＥＤモジュール２２は、３色のＬＥＤ素子３３〜３５を搭載しているため、各ＬＥＤ素子３３〜３５への通電内容に応じて下記のように、任意の発光色を得ることができる。
ＲＬＥＤ素子３３のみに通電→赤色光
ＧＬＥＤ素子３４のみに通電→緑色光
ＢＬＥＤ素子３５のみに通電→青色光
ＬＥＤ素子３３〜３５に同時に通電→白色光
ＲＬＥＤ素子３３とＧＬＥＤ素子３４に通電→赤と緑の混合色
ＧＬＥＤ素子３４とＢＬＥＤ素子３５に通電→緑と青の混合色
ＲＬＥＤ素子３３とＢＬＥＤ素子３５に通電→赤と青の混合色
【００１５】
さらに、２色混合及び３色混合の場合、ＬＥＤ素子への通電量を制御することにより、そのＬＥＤ素子の発光量を強めたり弱めたりすることができるため、ＲＬＥＤ素子３３とＧＬＥＤ素子３４の組み合わせでは赤〜橙〜黄〜緑の範囲の発光色が得られ、ＧＬＥＤ素子３４とＢＬＥＤ素子３５の組み合わせでは青〜青緑〜青の範囲の発光色が得られ、ＲＬＥＤ素子３３とＢＬＥＤ素子３５の組み合わせでは赤〜赤紫〜紫〜青の範囲の発光色が得られる。
【００１６】
図４は、図１の構成のＬＥＤランプ群を４系統にした本発明の第２の実施の形態に係る照明装置の構成を示す。図１に示した制御部２に準ずる構成の制御部２-1，２-2，２-3（副制御部）は、全体を制御する主制御部２-4に接続されている。主制御部２-4は、制御部２-1〜２-3を制御するため、制御線４１を介して制御部２-1〜２-3の制御入力端子１１-1〜１１-3に制御信号Ｓｃを制御部２-1〜２-3に供給している。制御線４１は、隣接する主制御部２の制御入力端子１１から制御入力端子１１に接続するようにすればよい。制御部２-1〜２-4には、図１に示した電源部１から電源供給が行われる。図中、ＬＥＤランプ７-11〜７-1N，７-21〜７-2N，７-31〜７-3N，及び７-41〜７-4Nは図１のＬＥＤランプ７-1〜７-Nに準じ、束線１０-1，１０-2，１０-3，１０-4は図１の束線１０に準じ、さらに、コネクタ８-1，８-2，８-3，８-4は図１のコネクタ８に準ずる。
【００１７】
制御部２-1にはＬＥＤランプ７-11〜７-1N及びコネクタ８-1を装着した束線１０-1が接続され、制御部２-2にはＬＥＤランプ７-21〜７-2N及びコネクタ８-12を着した束線１０-2が接続され、制御部２-3にはＬＥＤランプ７-31〜７-3N及びコネクタ８-1を装着した束線１０-11が接続され、主制御部２-4にはＬＥＤランプ７-41〜７-4N及びコネクタ８-4を装着した束線１０-4が接続されている。
【００１８】
また、主制御部２-4には、発光モードの設定を行うためのモードスイッチ（図示せず）、及び発光色の色調（彩度）を変化させるボリューム（赤可変用、緑可変用、青可変用）が設けられている。発光モードには、「赤→緑点灯」、「赤→青点灯」、「青→緑点灯」、「赤→緑→青点灯」、「赤→緑→青→白点灯」、「系統毎の異色点灯」（ＬＥＤランプ７-11〜７-1Nを赤、ＬＥＤランプ７-21〜７-2Nを青等）、「ＬＥＤランプ７-31〜７-3Nを緑」、「全ＬＥＤランプを白」、「全ＬＥＤランプを赤」、「全ＬＥＤランプを緑」、「全ＬＥＤランプを青」、「雪降り」、「ユーザ設定」等が用意されている。これらの制御は、主制御部２-4に上記発光色を制御するためのプログラムが格納されたＲＯＭを設置することにより可能である。
【００１９】
図５（ａ），（ｂ），（ｃ）は、図４の照明装置を適用した本発明の第３の実施の形態に係るクリスマスツリーを示す。クリスマスツリーは、軟性プラスチック、ビニール等により作られた樹木部５１と、この樹木部５１を立設保持する鉢５２を備えて構成されている。束線１０-1〜１０-4を樹木部５１に装着する前に、束線１０-1〜１０-4の任意の端子２５にＬＥＤランプ７-11〜７-4Nを取り付ける。次に、束線１０-1〜１０-4を樹木部５１の頂部から適当な間隔を持たせて束線１０-1〜１０-4のそれぞれを装着する。また、必要に応じてコネクタ８-1〜８-4には、別の束線１０を接続することができる。次に、束線１０-1〜１０-4を制御部２-1〜２-3及び主制御部２-4に接続する。ここで、制御部２-1〜２-3の動作モードを外部制御動作に切り替える。その後、主制御部２-4を所望の発光モードに設定する。
【００２０】
上記したように本発明により実現できる発光モードは多様であるが、ここでは「雪降り」モードについて説明する。まず、主制御部２-4は制御部２-1のみに制御信号Ｓｃを送り、図５の（ａ）のように、束線１０-1のＬＥＤランプ７-11〜７-1Nの全てを白色点灯させる。このとき、他の束線１０-2〜１０-4のＬＥＤランプ７-21〜７-4Nの全てを消灯にするように、制御線４１を介して制御部２-2〜２-3に制御信号Ｓｃを出すと共に、制御部２-4自身を制御する。
【００２１】
次に、主制御部２-4は制御部２-1と制御部２-2に制御信号Ｓｃを送り、図５の（ｂ）のように、束線１０-1，１０-2のＬＥＤランプ７-11〜７-2Nの全てを白色点灯させる。他の束線１０-3，１０-4のＬＥＤランプ７-31〜７-4Nは消灯のままにする。さらに、主制御部２-4は制御部２-1〜２-3の３つに制御信号Ｓｃを送り、束線１０-1，１０-2，１０-3のＬＥＤランプ７-11〜７-3Nの全てを白色点灯させ、他の束線１０-4のＬＥＤランプ７-41〜７-4Nを消灯のままにすると、図５の（ｃ）の点灯状態になる。このように、樹木部５１の頂部から下方向に次第に雪が積もるような雰囲気の点灯を行うことができるので、クリスマスの季節に相応しい点灯方法になる。
【００２２】
ここでは、雪を表すために白色光を発光させるものとしたが、意識的に他の色を選んでもよい。例えば、クリーム色、淡い青色光等にしてもよい。この設定は、主制御部２-4に設けられたボリュームを可変することにより任意に設定することができる。このような発光モードは、従来の豆電球を用いた照明装置では不可能なものである。また、束線１０-1〜１０-4の点灯を、１０-1→１０-2→１０-3→１０-4→１０-1・・・のように、１本のみが順次点灯するようにした場合には、雨降り状態を表現することができる。
【００２３】
さらに、豆電球の場合、１個当たり１００〜３００ｍＡ程度の電流を流す必要があり、使用個数が増えると電力使用料も無視できなくなる。また、発熱が大きいため、火災に対する配慮が必要になる。これに対して、本発明にかかるＬＥＤランプ７の消費電流は１５〜２０ｍＡ程度であり、極めて低い消費電力であり、２４時間連続点灯を行っても、電力コストを気にする必要がない。さらに、ＬＥＤランプ７は発熱が無いため、壁に密着させた使用も可能になる。
【００２４】
図６は、図４の照明装置を適用した本発明の第４の実施の形態に係る虹模様のディスプレィを示す。このディスプレィ６０では、表示面に束線１０-1〜１０-7を平行配置し、束線１０-1〜１０-7のそれぞれに制御部（図示しないが２-1〜２-6）と主制御部（図示しないが２-7）を図４に準じて接続して虹を発光させている。虹を示す７色のそれぞれは束線１０-1〜１０-7のそれぞれに割り当てられる。虹を表す各色は、制御部（２-1〜２-6）のそれぞれに設けられたボリューム（制御部１つに３個）を調整し、最適な色が発光されるように予め設定する。虹を表す発光を従来の豆電球で行おうとするすると難しいが、本発明によれば、簡単にしかもユーザーの好みの色（虹のコントラストを意識的に強くするなど）や、微妙な色合い（淡い色等）による表示が行える。
【００２５】
図７は、図４の照明装置を適用した本発明の第５の実施の形態に係る疑木形ディスプレィを示す。疑木形ディスプレィは、台座７１に立設された幹（みき）部７２と、枝部を兼ねる複数の束線１０（１０-1〜１０-N）を備えて構成されている。枝部の１本又は複数本にかけて１つの束線１０を布線する。図５のクリスマスツリーでは、樹木部５１を取り巻くように束線１０を装着したが、同様に、枝部として頑丈な金属棒等を用い、この金属棒を周回するように束線１０を布線してもよい。束線１０には、リード線７５を介して照明装置７０が接続されている。照明装置７０は、図１及び図４に示した電源部１、主制御部２-4、及び制御部２-1〜２-N（副制御部）を内蔵している。照明装置７０には、ＡＣ１００Ｖの電源コンセントに挿入されるプラグ７４を備えたコード７３が接続されている。
【００２６】
図７における照明方法（発光モード）としては、上記した「雪降り」による点灯のほか、全体を「赤→緑点灯」、「赤→青点灯」、「青→緑点灯」、「赤→緑→青点灯」、「赤→緑→青→白点灯」で点灯したり、「系統毎の異色点灯」にすることができる。また、木を表す緑１色の点灯（連続、点滅、不連続な点滅等）、その明るさが時間により変化する点灯もある。あるいは、或る色の光の帯（又は部分）が３６０°回転するように点灯してもよい。この場合、早い回転と遅い回転の組み合わせによる点灯、全体が緑色で縦に１本又は数本の赤色等が回転する点灯、縦に１本又は数本の消灯部分（又は帯状部分）が回転する点灯等を含めることができる。
【００２７】
図８は、図４の照明装置を適用した本発明の第６の実施の形態に係る噴水形ディスプレィの一例を示す。噴水を擬装するために、台座８１上に主柱８２を立設し、この主柱８２の頂部には複数本の傘骨８３を等角度に放射状に取り付けている。傘骨８３は、その先端が垂れるようにし、噴水の水が周辺に飛び散るイメージを表している。この傘骨８３は、目立たない色で塗装を施すのが望ましい。主柱８２には１又は複数の束線１０が添わせてある。また、複数本の傘骨８３の内側から外側に向けて、複数の束線１０が所定間隔及び同心円状に布線されている。したがって、傘骨８３上の複数の束線１０は、いずれも環状に布線されている。
【００２８】
図８における照明方法（発光モード）は、上記した「雪降り」が基本になり、主柱８２に添わせた束線１０から白色光で点灯し、これを点灯したまま、所定時間後に傘骨８３の付け根部に配設された束線１０を点灯する。次に、付け根部に最も近い束線１０を点灯し、以後、一定時間経過毎に外側の束線１０を点灯していく。傘骨８３の先端部の束線１０が点灯した後、所定時間後に全ての束線１０に対する通電を停止し、ＬＥＤランプの全てを一斉に消灯する。その後、主柱８２に添わせた束線１０から再び点灯を開始し、上記した順序で点灯を繰り返すことにより、噴水形の照明が達成される。なお、噴水だからといって白色の点灯色にこだわる必要はなく、好みの色で発光させることもできる。
【００２９】
図９は、図４の照明装置を特定用途に適用した本発明の第７の実施の形態に係るディスプレィを示す。ここでは地図（北海道）に適用しており、ディスプレィボード９０内の地形９１の輪郭に沿って束線１０を布線し、地形９１の輪郭線上に一定間隔にＬＥＤランプ７が配設されるようにし、発光しているＬＥＤランプの列から北海道であることがわかるようにしている。この場合の照明（発光モード）は、ＬＥＤランプ７の全てが１つの制御部２に接続されている場合、全てのＬＥＤランプ７は同一の発光色になる。また、複数の制御部２-1〜２-Nを用い、束線１０-1〜１０-Nが独立した点灯系統になるようにした場合には、制御部単位で異なる発光色及び発光内容にすることができる。例えば、上半分と下半分を寒色系と暖色系で発光させたり、第１色と第２色を所定時間間隔により交互に発光させたり、全体を７色に変化させたりの点灯が可能になる。この制御のために、ディスプレィボード９０内に配設した束線１０には、制御部９２が接続されている。制御部９２は、電源部１と主制御部２-4、更には制御部２-1〜２-N（副制御部）を内蔵している。
【００３０】
図９のようなディスプレィにおいては、制御部９２に気圧センサ９３を接続することにより、周囲の天気変化に応じた点灯が可能になる。すなわち、気圧センサ９３で検出したヘクトパスカル（ｈｐａ）値が所定ｈｐａ変化する毎に、制御部９２が内蔵のプログラムにしたがってＬＥＤランプ７の発光色を変化させる。気圧に基づく天気予報は、概ね６〜１２時間後の天気になる。天気が晴れに向かっているときにはＬＥＤランプ７を青色で点灯し、薄曇り又は曇りになるときには紫色、雨になるときには赤色等にする。そして、ディスプレィボード９０の中又は周囲の適当な場所に「晴れは青」、「曇りは紫色」、「雨は赤」等のガイド表示を行えば、見る人は何の意味かを把握することができる。
【００３１】
また、気圧センサ９３に代えて温度センサを接続することにより、周囲温度に応じてＬＥＤランプ７の発光色を変化させることができる。例えば、０〜９．９℃の時には青、１０℃〜１４．９℃では紫、１５℃〜１９．９℃では緑、２０℃〜２４．９℃では黄、２５℃〜２９．９℃では橙、３０℃〜５０℃では赤というような点灯が可能になる。なお、気圧検出や温度検出による点灯制御は、図９のディスプレィ内容に限定されるものではなく、例えば、図６、図７、図８に示したようなディスプレィでも適用可能である。
【００３２】
なお、図６、図７、図８、及び図９の用途について説明すると、いずれも店舗の看板や広告の代わりに、或いは店内の飾りに用いることができ、一般家庭にあっては玄関や部屋の飾り物として使用することができる。さらに、図８にあっては、大型化することにより公園の実際の噴水に置き換えることが可能である。この場合、給水設備や電力設備、更には管理人が不要になるので、大幅なコストダウンが可能になる。また、図９にあっては、駅、観光案内所、旅行会社等に設置することにより、人目を引く視覚効果に加え、天気予報の表示を行うことができる。
【００３３】
上記実施の形態においては、ＬＥＤモジュール２２が３つのＬＥＤ素子を備え、３色の混合色を得る構成であるとしたが、得られる発光色のバリエーションは少なくはなるが、ＲＬＥＤ素子３３とＧＬＥＤ素子３４のみ、ＲＬＥＤ素子３３とＢＬＥＤ素子３５のみ、或いは、ＧＬＥＤ素子３４とＢＬＥＤ素子３５のみの各２つの搭載にしてコストダウンを図ってもよい。
【００３５】
【発明の効果】
本発明の照明装置によれば、制御部によって制御されるＬＥＤランプは所望の発光色が得られると共に多様な点灯様式を実現できるため、使用目的に応じた多様な発光が可能になる。また、光源がＬＥＤランプであるため、消費電力の低減、及び長寿命化が可能になる。さらに、発熱が無いので、設置場所や使用場所に制約されることがない。
【図面の簡単な説明】
【図１】本発明の第１の実施の形態に係る照明装置の構成を示す図である。
【図２】ＬＥＤランプの詳細構成を示す斜視図である。
【図３】ＬＥＤモジュールの詳細を示す断面図である。
【図４】図１の構成のＬＥＤランプ群を４系統にした本発明の第２の実施の形態に係る照明装置の構成を示す図である。
【図５】（ａ），（ｂ），（ｃ）は、図４の照明装置を適用した本発明の第３の実施の形態に係るクリスマスツリーを示す斜視図である。
【図６】図４の照明装置を適用した虹模様の本発明の第４の実施の形態に係るディスプレィを示す図である。
【図７】図４の照明装置を適用した本発明の第５の実施の形態に係る疑木形ディスプレィを示す図である。
【図８】図４の照明装置を適用した本発明の第６の実施の形態に係る噴水形ディスプレィを示す図である。
【図９】図４の照明装置を特定用途に適用した本発明の第７の実施の形態に係るディスプレィを示す図である。
【符号の説明】
１  電源部
２，２-1，２-2，２-3  制御部
２-4  主制御部
３  グランドライン
４，５，６  電圧出力ライン
７，７-1〜７-N  ＬＥＤランプ
７-11〜７-1N，７-21〜７-2N  ＬＥＤランプ
７-31〜７-3N，７-41〜７-4N  ＬＥＤランプ
８，８-1，８-2，８-3，８-4，９  コネクタ
１０，１０-1，１０-2，１０-3，１０-4，１０-5，１０-6，１０-7  束線
１１，１１-1，１１-2，１１-3，１１-4  制御入力端子
２１ａ，２１ｂ，２１ｃ，２１ｄ，２１ｅ，２１ｆ，２１ｇ  配線パターン
２２  ＬＥＤモジュール
２３ａ，２３ｂ，２３ｃ  チップ抵抗
２４ａ，２４ｂ，２４ｃ，２４ｄ  端子
２５ａ，２５ｂ，２５ｃ，２５ｄ  端子
２６  樹脂モールド
３１  プラスチックパッケージ
３２  リフレクタ
３３  Ｒ（赤）ＬＥＤ素子
３４  緑（Ｇ）ＬＥＤ素子
３５  青（Ｂ）ＬＥＤ素子
３６ａ，３６ｂ，３６ｃ  ボンディングワイヤ
３７  電極
４１  制御線
５１  樹木部
５２  鉢
７０  照明装置
７１  台座
７２  幹部
７３  コード
７４  プラグ
７５  リード線
８１  台座
８２  主柱
８３  傘骨
９０  ディスプレィボード
９１  地形
９２  制御部
９３  気圧センサ
【図１】
0004051213.tif 000002
【図２】
0004051213.tif 000003
【図３】
0004051213.tif 000004
【図４】
0004051213.tif 000005
【図５】
0004051213.tif 000006
【図６】
0004051213.tif 000007
【図７】
0004051213.tif 000008
【図８】
0004051213.tif 000009
【図９】
0004051213.tif 000010